(57)【特許請求の範囲】
【請求項１】
複数の可動部位を有する操作対象を操作するための操作装置であって、
表示手段と、
使用者によって触れられた接触位置を検出して、当該接触位置に対応する前記表示手段の表示画面上の位置を示す操作信号を生成する操作手段と、
前記操作対象の外観の形状を示す形状画像を前記表示手段の表示画面に表示させる形状画像表示制御手段と、
前記可動部位とそれぞれ対応し、前記操作対象の前記可動部位の名称をそれぞれ示す調整項目画像を前記形状画像とともに前記表示画面上に表示させる調整項目表示手段と、
前記調整項目表示手段によって前記表示画面上に表示された前記調整項目画像の内、前記操作信号によって示される前記接触位置に対応する前記表示画面上の位置に表示された前記調整項目画像によって名称が示される１つの可動部位を前記複数の可動部位の中から選択する選択手段と、
前記選択手段によって１つの可動部位が選択された後、当該選択された可動部位の可動方向を示す矢印画像を前記形状画像とともに前記表示画面上に表示させる矢印表示制御手段と、
前記選択手段によって選択された可動部位を、前記矢印表示制御手段によって前記表示画面上に表示された前記矢印画像の内、前記操作信号によって示される前記接触位置に対応する前記表示画面上の位置に表示された前記矢印画像と対応する方向へ移動させる指示信号を出力する移動指示手段とを備える、操作装置。
【請求項２】
前記選択手段によって１つの可動部位が選択されたことに応じて、当該選択された可動部位に対応する前記形状画像上の部位を強調表示に切り換える強調表示制御手段をさらに備える、請求項１に記載の操作装置。
【請求項３】
前記選択手段によって１つの可動部位が選択された後、当該選択された可動部位の名称を示す前記調整項目画像を強調表示に切り換える項目強調表示制御手段とをさらに備える、請求項１又は２のいずれか１つに記載の操作装置。
【請求項４】
前記選択手段は、前記矢印表示制御手段によって前記表示画面上に表示された矢印画像のいずれか１つを前記操作信号に基づいてさらに選択し、
前記移動指示手段は、前記選択手段によって１つの矢印画像が選択されたことに応じて、当該矢印画像と対応する前記可動部位を当該矢印画像と対応する方向へ移動させる指示信号を出力する、請求項１から３のいずれか１つに記載の操作装置。
【請求項５】
前記選択手段によって１つの矢印画像が選択されたことに応じて、当該矢印画像を強調表示に切り換える矢印強調表示制御手段をさらに備える、請求項４に記載の操作装置。
【請求項６】
前記操作対象は、車両に搭載される座席を含む、請求項１から５のいずれか１つに記載の操作装置。
【請求項７】
複数の可動部位を有する操作対象を操作するための操作装置であって、
表示手段と、
使用者の入力操作に応じた操作信号を生成する操作手段と、
前記操作対象の外観の形状を示す形状画像を前記表示手段の表示画面に表示させる形状画像表示制御手段と、
前記操作信号に基づき、前記複数の可動部位の中から１つの可動部位を選択する選択手段と、
前記選択手段によって１つの可動部位が選択された後、当該選択された可動部位の可動方向を示す矢印画像を前記形状画像とともに前記表示画面上に表示させる矢印表示制御手段と、
前記矢印表示制御手段によって前記表示画面上に矢印画像が表示されているときに、前記操作信号に基づいて、前記選択手段によって選択された可動部位を当該矢印画像のいずれか１つと対応する方向へ移動させる指示信号を出力する移動指示手段と、
前記移動指示手段によって指示信号が出力されているとき、前記可動部位の位置を示す位置情報を生成する位置情報生成手段と、
前記移動指示手段によって指示信号が出力されているとき、前記位置情報生成手段によって生成される前記位置情報に基づいて、前記形状画像の内、前記選択手段によって選択された可動部位を示す画像を動かして表示する動画表示手段とを備える、操作装置。
【請求項８】
複数の可動部位を有する操作対象を操作するための操作装置であって、
表示手段と、
前記表示手段から離れた位置に配置され、使用者の入力操作に応じた操作信号を生成する操作手段と、
前記操作対象の外観の形状を示す形状画像を前記表示手段の表示画面に表示させる形状画像表示制御手段と、
前記可動部位とそれぞれ対応し、前記操作対象の前記可動部位の名称をそれぞれ示す調整項目画像を前記形状画像とともに前記表示画面上に表示させる調整項目表示手段と、
前記調整項目表示手段によって前記表示画面上に表示された前記調整項目画像の内、前記操作信号に基づいて選択された前記調整項目画像によって名称が示される１つの可動部位を前記複数の可動部位の中から選択する選択手段と、
前記選択手段によって１つの可動部位が選択された後、当該選択された可動部位の可動方向を示す矢印画像を前記形状画像とともに前記表示画面上に表示させる矢印表示制御手段と、
前記選択手段によって選択された可動部位を、前記矢印表示制御手段によって前記表示画面上に表示された前記矢印画像の内、前記操作信号に基づいて選択された前記矢印画像と対応する方向へ移動させる指示信号を出力する移動指示手段とを備える、操作装置。
【発明の詳細な説明】
【技術分野】
【０００１】
本発明は、操作装置に関し、より特定的には、表示部を備える操作装置に関する。
【背景技術】
【０００２】
従来から自動車に搭載されているシート調整機構のシート調整レバーは、シートの側面に配置されており、座席に座った状態では搭乗者が直接視認しづらい位置に配置されている。このため、搭乗者は手探りでシート調整レバーを操作して、シートを構成する各部位をそれぞれ調整しなければならない。また、近年、自動車の搭乗者の快適さを増すために、車載シートやハンドルを構成する調整部位が増加している。しかしながら、シート調整レバーを配置するためのスペースは、シートの側面の一部などに限られている。このため、調整部位が増加したとしても、シート調整レバーは限られたスペースで全ての調整部位を調整できなければならない。したがって、車載シートやハンドルを構成する調整部位が増加すると、シート調整レバーの機構が複雑になる。そして、シート調整レバーの機構が複雑になると、シート調整レバーは直接視認しづらい位置に配置されているため、搭乗者の誤操作の可能性が増大する。また、例え、シート調整レバーに代わるシート調整機構が搭乗者から直接視認しやすい位置に配置されていたとしても、シート調整機構が複雑になると、搭乗者の誤操作の可能性が増大することは言うまでもない。
【０００３】
このため、多数の調整部位を誤ることなく容易に調整可能にするために、従来から様々な調整機構が考案されてきた。図１６は、車載機器を容易に操作可能にするための特許文献１に記載の車載機器操作装置９０の構成の内、シート位置調整に関する概略構成を示す図である。車載機器操作装置９０は、画像データ記憶部９０１と、タッチディスプレイ９０２と、表示制御部９０３と、通信制御部９０４と、シート調整部９０５とを備える。
【０００４】
画像データ記憶部９０１は、タッチディスプレイ９０２に表示する矢印ボタンやシート形状などの画像を記憶している。
【０００５】
タッチディスプレイ９０２は、表示制御部９０３によって画像データ記憶部９０１から読み出された画像データを表示する。また、タッチディスプレイ９０２は、ユーザによってタッチされた画面位置を表示制御部９０３へ送信する。
【０００６】
表示制御部９０３は、画像データ記憶部９０１に記憶されている画像データを読み出して、タッチディスプレイ９０２に表示させる。また、表示制御部９０３は、ユーザによってタッチされたタッチディスプレイ９０２の画面位置に基づいて、ユーザによってどの矢印ボタンがタッチされたかを判断する。そして、表示制御部９０３は、タッチされたと判断した矢印ボタンに応じて、シート調整部９０５を動作させるためのシート調整信号Ａｓを通信制御部９０４に生成させる。
【０００７】
通信制御部９０４は、タッチディスプレイ９０２に表示される矢印ボタンの内、ユーザがタッチした矢印ボタンに対応する動作をシート調整部９０５に行わせるためのシート調整信号Ａｓを生成する。
【０００８】
シート調整部９０５は、通信制御部９０４によって生成されるシート調整信号Ａｓに応じて、図示しない車載シート調整用のモータを駆動して車載シート全体の前後位置や高さを調整する。
【０００９】
図１７は、図１６に示す車載機器操作装置９０のタッチディスプレイ９０２に表示される表示画面の内、シートの調整画面を示す図である。図１７に示すタッチディスプレイ９０２の表示画面には、シート形状画像９０４１と、シート調整部位のそれぞれの調整可能方向を示す矢印９０４２と、戻るボタン（設定終了ボタン）９０４３とが表示されている。
【００１０】
搭乗者は、図１７に示されるようにタッチディスプレイ９０２の表示画面に表示されているいずれかの矢印９０４２に触れることによって、その矢印９０４２に対応する車載シートの調整部位を、その矢印９０４２の示す方向に調整することができる。これにより、搭乗者は、直接視認しづらい調整レバーを操作するのではなく、タッチディスプレイ９０２を用いてシート調整ができるので、搭乗者によるシート調整の誤操作の可能性を低減することができる。
【特許文献１】特開２００５−１５３６８４号公報
【発明の開示】
【発明が解決しようとする課題】
【００１１】
しかしながら、近年のシートの調整部位の数は、ヘッドレスト、ショルダーサポート、リクライニング、ランバーサポート、サイドサポート、クッション長、クッション前端位置など多数である。さらに、シートのある特定の調整部位だけでなくシート全体の前後位置及び上下位置なども調整可能である。このため、図１６に示す従来技術のように、シート形状とシート調整部位のそれぞれの調整方向を示す矢印ボタンなどの全ての画像を同時に表示する技術では、調整部位が増加すると、画面に表示される矢印の数もそれに応じて増加し、多数の矢印が互いに非常に近接して表示されることになる。その結果、矢印と調整部位との対応関係が分かりづらくなり、また、タッチしようとした矢印の隣の矢印を誤ってタッチしてしまいやすくなり、結局、搭乗者のシート調整の誤操作の可能性を減少させることができない。
【００１２】
それ故に、本発明は、使用者によるシート等の操作対象の調整の誤操作を確実に防ぐことのできる操作装置を提供することを目的とする。
【課題を解決するための手段】
【００１３】
本発明は、上記目的を達成するために、以下に示す特徴を有する。
【００１４】
第１の発明は、複数の可動部位を有する操作対象を操作するための操作装置であって、表示手段と、使用者によって触れられた接触位置を検出して、当該接触位置に対応する表示手段の表示画面上の位置を示す操作信号を生成する操作手段と、操作対象の外観の形状を示す形状画像を表示手段の表示画面に表示させる形状画像表示制御手段と、可動部位とそれぞれ対応し、操作対象の可動部位の名称をそれぞれ示す調整項目画像を形状画像と共に表示画面上に表示させる調整項目表示手段と、調整項目表示手段によって表示画面上に表示された調整項目画像の内、操作信号によって示される接触位置に対応する表示画面上の位置に表示された調整項目画像によって名称が示される１つの可動部位を複数の可動部位の中から選択する選択手段と、選択手段によって１つの可動部位が選択された後、当該選択された可動部位の可動方向を示す矢印画像を形状画像とともに表示画面上に表示させる矢印表示制御手段と、矢印表示制御手段によって表示画面上に矢印画像が表示されているときに、操作信号に基づいて、選択手段によって選択された可動部位を当該矢印画像のいずれか１つと対応する方向へ移動させる指示信号を出力する移動指示手段とを備える。
【００１５】
第２の発明は、第１の発明において、選択手段によって１つの可動部位が選択されたことに応じて、当該選択された可動部位に対応する形状画像上の部位を強調表示に切り換える強調表示制御手段をさらに備える。
【００１６】
第３の発明は、第１、又は、第２のいずれか１つの発明において、選択手段によって１つの可動部位が選択されたことに応じて、当該選択された可動部位の名称を示す調整項目画像を強調表示に切り換える項目強調表示制御手段とをさらに備える。
【００１７】
第４の発明は、第１から第３のいずれか１つの発明において、選択手段は、矢印表示制御手段によって表示画面上に表示された矢印画像のいずれか１つを操作信号に基づいてさらに選択し、移動指示手段は、選択手段によって１つの矢印画像が選択されたことに応じて、当該矢印画像と対応する可動部位を当該矢印画像と対応する方向へ移動させる指示信号を出力する。
【００１８】
第５の発明は、第４の発明において、選択手段によって１つの矢印画像が選択されたことに応じて、当該矢印画像を強調表示に切り換える矢印強調表示制御手段をさらに備える。
【００２１】
第６の発明は、第１から第５のいずれか１つの発明において、操作対象は、車両に搭載される座席を含む。
第７の発明は、複数の可動部位を有する操作対象を操作するための操作装置であって、表示手段と、使用者の入力操作に応じた操作信号を生成する操作手段と、操作対象の外観の形状を示す形状画像を表示手段の表示画面に表示させる形状画像表示制御手段と、操作信号に基づき、複数の可動部位の中から１つの可動部位を選択する選択手段と、選択手段によって１つの可動部位が選択された後、当該選択された可動部位の可動方向を示す矢印画像を形状画像とともに表示画面上に表示させる矢印表示制御手段と、矢印表示制御手段によって表示画面上に矢印画像が表示されているときに、操作信号に基づいて、選択手段によって選択された可動部位を当該矢印画像のいずれか１つと対応する方向へ移動させる指示信号を出力する移動指示手段と、移動指示手段によって指示信号が出力されているとき、可動部位の位置を示す位置情報を生成する位置情報生成手段と、移動指示手段によって指示信号が出力されているとき、位置情報生成手段によって生成される位置情報に基づいて、形状画像の内、選択手段によって選択された可動部位を示す画像を動かして表示する動画表示手段とを備える。
第８の発明は、複数の可動部位を有する操作対象を操作するための操作装置であって、表示手段と、表示手段から離れた位置に配置され、使用者の入力操作に応じた操作信号を生成する操作手段と、操作対象の外観の形状を示す形状画像を表示手段の表示画面に表示させる形状画像表示制御手段と、可動部位とそれぞれ対応し、操作対象の可動部位の名称をそれぞれ示す調整項目画像を形状画像とともに表示画面上に表示させる調整項目表示手段と、調整項目表示手段によって表示画面上に表示された調整項目画像の内、操作信号に基づいて選択された調整項目画像によって名称が示される１つの可動部位を複数の可動部位の中から選択する選択手段と、選択手段によって１つの可動部位が選択された後、当該選択された可動部位の可動方向を示す矢印画像を形状画像とともに表示画面上に表示させる矢印表示制御手段と、選択手段によって選択された可動部位を、矢印表示制御手段によって表示画面上に表示された矢印画像の内、操作信号に基づいて選択された矢印画像と対応する方向へ移動させる指示信号を出力する移動指示手段とを備える。
【発明の効果】
【００２２】
第１の発明は、操作対象の１つの可動部位が選択されたことに応じて、選択された可動部位の可動方向を示す矢印画像のみを操作対象の形状画像と共に表示手段の表示画面上に表示させる。このため、第１の発明によれば、多数の矢印画像が互いに非常に近接して表示画面上に表示させることなく、使用者の誤操作を確実に防ぐことのできる操作装置を提供することができる。
【００２３】
第２の発明は、第１の発明において、１つの可動部位が選択されたことに応じて、選択された可動部位に対応する形状画像上の部位を強調表示に切り換える。このため、第２の発明によれば、使用者は現在選択されている可動部位を形状を示す画像で確認することができる。
【００２４】
第３の発明は、第１、又は、第２のいずれか１つの発明において、１つの可動部位が選択された後、選択された可動部位の名称を示す調整項目画像を強調表示に切り換える。このため、第３の発明によれば、使用者は現在選択されている可動部位の名称を選択と同時に知ることができる。
【００２５】
第４の発明は、第１から第３のいずれか１つの発明において、形状画像とともに表示画面上に表示されている１つの矢印画像が選択されたことに応じて、選択された矢印画像と対応する可動部位を選択された矢印画像と対応する方向へ移動させる。このため、第４の発明によれば、使用者は現在選択している可動部位と可動方向とを確認した上で、可動部位を移動させることができる。
【００２６】
第５の発明は、第４の発明において、１つの矢印画像が選択されたことに応じて、選択された矢印画像を強調表示に切り換える。このため、第５の発明によれば、使用者は選択した可動部位が選択した可動方向へ現在移動中であることを確認することができる。
【００２９】
第６の発明は、第１から第５のいずれか１つの発明において、操作対象は、車両に搭載される座席を含む。このため、第６の発明によれば、車両の座席に含まれる操作困難な多数の可動部位を容易に操作できる操作装置を提供することができる。
第７の発明によれば、調整している可動部位の位置情報に基づいて、可動部位に対応する箇所の形状画像の一部をアニメーション表示し、使用者に理解しやすい表示を提供することができる。
第８の発明によれば、多数の矢印画像が互いに非常に近接して表示画面上に表示させることなく、使用者の誤操作を確実に防ぐことができ、且つ車両の座席に含まれる操作困難な多数の可動部位を容易に操作できる操作装置を提供することができる。
【発明を実施するための最良の形態】
【００３０】
（第１の実施形態）
図１は、本発明の第１の実施形態に係る操作装置１００の概略構成を説明するブロック図である。第１の実施形態に係る操作装置は、表示／操作部１０１と、表示制御部１０２と、制御部１０３と、調整部１０４と、記憶部１０５とを備える。
【００３１】
表示／操作部１０１は、表示制御部１０２によって記憶部１０５から読み出された画像を表示する。また、表示／操作部１０１は、表示画面上にタッチパネルを備えるタッチディスプレイであり、使用者によってタッチされたタッチパネル上のタッチ位置を検出して、タッチ位置に対応する表示画面上の位置を、タッチ位置情報Ｔｉｊとして制御部１０３へ通知する。
【００３２】
表示制御部１０２は、制御部１０３からの指示に応じて記憶部１０５から画像データを読み出して、表示／操作部１０１の表示画面に画像を表示させる。また、表示制御部１０２は、制御部１０３からの指示に応じて、表示画面に表示されている画像の一部や特定の表示項目をハイライト表示（強調表示）に切り換える。
【００３３】
制御部１０３は、表示／操作部１０１から通知されるタッチ位置情報Ｔｉｊに基づいて、使用者がタッチした表示画面上の項目ボタンの種類を判断し、当該ボタンの機能を実行する。また、制御部１０３は、使用者がタッチした項目ボタンの機能に応じて、必要な表示画像を判断して表示制御部１０２へ指示をする。尚、制御部１０３の詳細な動作については、後述する。
【００３４】
調整部１０４は、制御部１０３からの指示に応じて、可動部位をそれぞれ移動させる。尚、本発明では調整部１０４として、様々な調整対象（操作対象）を想定することができるが、本実施形態では、一例として、調整部１０４がシートの可動部位をそれぞれ調整するシート調整部であるものとして説明をする。したがって、本発明において、上述した調整部１０４の可動部位には、ヘッドレスト、ショルダーサポート、リクライニング、ランバーサポート、サイドサポート、上下位置調整、前後位置調整、ヒーター、ベンチレーター、クッション長及びクッション前端の長さなどの可動部位を想定することができる。
【００３５】
記憶部１０５は、表示／操作部１０１の表示画面の表示に必要な画像データを記憶している。
【００３６】
次に、制御部１０３の詳細な動作について説明をする。図２は、制御部１０３の動作を説明するフローチャートである。以下、図２に示すフローチャートを参照しながら制御部１０３の動作を説明する。尚、図２のフローチャートに示す処理は、表示／操作部１０１の表示画面に図３に示すように表示されているメニュー画面のシートボタンに使用者がタッチした時点を起点としている。また、図３に示すメニュー画面に表示されている項目の種類は、一例であり、必要に応じて項目の種類を増減させてもよいことは言うまでもない。
【００３７】
再度図２を参照して説明を続ける。ステップＳ１００において、制御部１０３は、運転席のシート調整画面を表示／操作部１０１の表示画面に表示させるように、表示制御部１０２に指示をする。より具体的には、制御部１０３は、ステップＳ１００において、図４に示すように、自動車のそれぞれのシートの可動部位（図４では、運転席のシートの可動部位）をそれぞれ文字で示す調整項目ボタンＴｂと運転席のシート形状を絵で示すシート形状画像Ｓｇと助手席のシートの調整画面を表示させるための助手席ボタンＪｂと図３に示すメニュー画面を表示させるための戻るボタンＭｂとを表示／操作部１０１の表示画面に表示させるように、表示制御部１０２へ指示をする。制御部１０３は、ステップＳ１００の処理を完了すると、ステップＳ１０５へ処理を進める。ここで、上述した調整項目ボタンＴｂ、助手席ボタンＪｂ及び戻るボタンＭｂの総称を項目ボタンとすることを付言しておく。
【００３８】
尚、本発明のステップＳ１００において、表示／操作部１０１の表示画面に表示する画像及びボタンは、上述したものに限られるものではなく、他の画像や他の機能を有するボタンを表示してもよいことは、言うまでもない。また、本発明における調整項目ボタンＴｂの種類には、図４に示すように、ヘッドレストボタン、ショルダーサポートボタン、リクライニングボタン、ランバーサポートボタン、サイドサポートボタン、上下位置調整ボタン、前後位置調整ボタン、ヒーターボタン、ベンチレーターボタン、クッション長ボタン及びクッション前端ボタンなどが挙げられるが、運転席のシート形状と助手席のシート形状とが互いに異なる場合や運転席の可動部位と助手席の可動部位とが互いに異なるときは、それぞれのシート形状や可動部位に応じて調整項目ボタンＴｂの種類を増減させて良いことは言うまでもない。一例として、助手席のシートには、一般的にオットマンとして知られている足乗せ部を可動部位として追加することが考えられるが、当該可動部位を有する座席の調整画面を表示するときは、図４に示すシート形状画像Ｓｇに代えて、オットマンを備えたシート形状画像Ｓｇを表示画面に表示し、併せて、調整項目ボタンＴｂの１つとしてオットマンに対応する調整項目ボタンＴｂを追加してもよい。
【００３９】
ステップＳ１０５において、制御部１０３は、表示／操作部１０１から通知されるタッチ位置情報Ｔｉｊに基づいて、使用者によって表示画面がタッチされたか否かを判断する。ステップＳ１０５において、制御部１０３は、表示画面がタッチされたと判断されたとき、ステップＳ１１０へ処理を進める。一方、ステップＳ１０５において、制御部１０３は、表示画面がタッチされていないと判断したとき、ステップＳ１０５の処理を繰り返す。
【００４０】
ステップＳ１１０において、制御部１０３は、ステップＳ１０５において表示／操作部１０１から通知されたタッチ位置情報Ｔｉｊに基づいて、使用者によってタッチされた項目ボタンが調整項目ボタンＴｂか否かを判断する。ステップＳ１１０において、制御部１０３は、調整項目ボタンＴｂがタッチされたと判断したとき、ステップＳ１１５へ処理を進める。一方、ステップＳ１１０において、調整項目ボタンＴｂがタッチされていないと判断したとき、ステップＳ１４０へ処理を進める。
【００４１】
ステップＳ１１５において、制御部１０３は、ステップＳ１０５の処理をしたときに調整方向矢印Ｔｙが表示されていたか否かを判断する。制御部１０３は、ステップＳ１１５において、調整方向矢印Ｔｙが表示されていたと判断したとき、ステップＳ１２０へ処理を進める。一方、制御部１０３は、ステップＳ１１５において、調整方向矢印Ｔｙが表示されていないと判断したとき、ステップＳ１２０の処理をとばして、ステップＳ１２５へ処理を進める。
【００４２】
ステップＳ１２０において、制御部１０３は、ステップＳ１０５の処理をしたときに表示されていたと判断した調整方向矢印Ｔｙを表示／操作部１０１の表示画面から消去する指示を表示制御部１０２へする。制御部１０３は、ステップＳ１２０の処理を完了すると、ステップＳ１２５へ処理を進める。
【００４３】
ステップＳ１２５において、制御部１０３は、ステップＳ１０５の処理をしたときにハイライト表示されていたいずれかの項目ボタンを通常表示へ切り換える指示を表示制御部１０２へする。制御部１０３は、ステップＳ１２５の処理を完了すると、ステップＳ１３０へ処理を進める。
【００４４】
ステップＳ１３０において、制御部１０３は、図５に示すように、使用者がステップＳ１０５においてタッチした調整項目ボタンＴｂをハイライト表示へ切り換えるように表示制御部１０２へ指示をする。図５は、ステップＳ１３０における処理後の表示画面の一例として、調整項目ボタンＴｂの内、クッション長の調整項目ボタンＴｂが使用者にタッチされてハイライト表示されたときの表示画面を示す。制御部１０３は、ステップＳ１３０の処理を完了すると、ステップＳ１３５へ処理を進める。
【００４５】
ステップＳ１３５において、制御部１０３は、図５に示すように、使用者がタッチした調整項目ボタンＴｂに対応する可動部位の調整可能な方向（可動方向）を示す調整方向矢印Ｔｙを表示／操作部１０１の表示画面上に表示させるように、表示制御部１０２へ指示をする。制御部１０３は、ステップＳ１３５の処理を完了すると、ステップＳ１０５へ処理を戻す。尚、ステップＳ１３５において、制御部１０３は、図５に示すように、使用者がタッチした調整項目ボタンＴｂが示す可動部位に対応するシート形状画像Ｓｇ上の部位をさらにハイライト表示に切り換えてもよい。
【００４６】
ステップＳ１４０において、制御部１０３は、ステップＳ１０５において表示／操作部１０１から通知されたタッチ位置情報Ｔｉｊに基づいて、使用者がタッチしたボタンが調整方向矢印Ｔｙのいずれかであるか否かを判断する。制御部１０３は、ステップＳ１４０において、使用者が調整方向矢印Ｔｙのいずれかにタッチしたと判断したとき、ステップＳ１４５へ処理を進める。一方、制御部１０３は、ステップＳ１４０において、使用者が調整方向矢印Ｔｙのいずれかにタッチしていないと判断したとき、ステップＳ１７０へ処理を進める。
【００４７】
ステップＳ１４５において、制御部１０３は、使用者によってタッチされた調整方向矢印Ｔｙのいずれかを図６に示すようにハイライト表示へ切り換える指示を表示制御部１０２へする。制御部１０３は、ステップＳ１４５の処理を完了すると、ステップＳ１５０へ処理を進める。図６は、ステップＳ１４５の処理後の表示画面の一例として、クッション長の可動部位に対応する調整方向矢印Ｔｙの内、シートに着座した使用者にとって背面方向にクッション長を調整する調整方向矢印Ｔｙに使用者がタッチしたときの表示画面を示す。
【００４８】
ステップＳ１５０において、制御部１０３は、ステップＳ１４５においてハイライト表示へ切り換えた調整方向矢印Ｔｙに対応する方向へ、ステップＳ１０５において使用者によってタッチされたと判断した調整項目ボタンＴｂに対応する可動部位を移動させる指示を調整部１０４へする。制御部１０３は、ステップＳ１５０の処理を完了すると、ステップＳ１５５へ処理を進める。
【００４９】
ステップＳ１５５において、制御部１０３は、ステップＳ１４５においてハイライト表示へ切り換えた調整方向矢印Ｔｙが継続してタッチされているか否かを判断する。制御部１０３は、ステップＳ１５５において、調整方向矢印Ｔｙが継続してタッチされていると判断したとき、ステップＳ１５０の処理へ戻る。一方、制御部１０３は、ステップＳ１５５において、調整方向矢印Ｔｙが継続してタッチされていないと判断したとき、ステップＳ１６０へ処理を進める。
【００５０】
ステップＳ１６０において、制御部１０３は、ステップＳ１５０において移動させた可動部位を停止させる指示を調整部１０４へする。制御部１０３は、ステップＳ１６０の処理を完了すると、ステップＳ１６５へ処理を進める。
【００５１】
ステップＳ１６５において、制御部１０３は、ステップＳ１４５においてハイライト表示へ切り換えた調整方向矢印Ｔｙを図５に示すように通常表示へ切り換える指示を表示制御部１０２へする。制御部１０３は、ステップＳ１６５の処理を完了すると、ステップＳ１０５へ処理を戻す。
【００５２】
ステップＳ１７０において、制御部１０３は、ステップＳ１０５において表示／操作部１０１から通知されたタッチ位置情報Ｔｉｊに基づいて、使用者によってタッチされたボタンが助手席ボタンＪｂであるか否かを判断する。制御部１０３は、ステップＳ１７０において、使用者が助手席ボタンＪｂにタッチしたと判断したとき、ステップＳ１７５へ処理を進める。一方、制御部１０３は、ステップＳ１７０において、使用者がタッチしたボタンが助手席ボタンＪｂでないと判断したとき、ステップＳ１８５へ処理を進める。
【００５３】
ステップＳ１７５において、制御部１０３は、助手席ボタンＭｂをハイライト表示へ切り換える指示を表示制御部１０２へする。制御部１０３は、ステップｓ１７５の処理を完了すると、ステップＳ１８０へ処理を進める。
【００５４】
ステップＳ１８０において、制御部１０３は、一度画面全体を消去した後、助手席のシート調整画面を表示／操作部１０１の表示画面へ表示させるように表示制御部１０２へ指示をする。より詳細には、制御部１０３は、ステップＳ１８０において、助手席の可動部位をそれぞれ文字で示す調整項目ボタンＴｂと助手席のシート形状画像Ｓｇとを、ステップＳ１００において表示した運転席の調整項目ボタンＴｂと運転席のシート形状画像Ｓｇとに代えて表示させる指示を表示制御部１０２へする。制御部１０３は、ステップＳ１８０の処理を完了すると、ステップＳ１０５へ処理を戻す。
【００５５】
ステップＳ１８５において、制御部１０３は、表示／操作部１０１から通知されたタッチ位置情報Ｔｉｊに基づいて、ステップＳ１０５において使用者にタッチされたボタンが戻るボタンＭｂであるか否かを判断する。制御部１０３は、ステップＳ１８５において、使用者が戻るボタンＭｂにタッチしたと判断したとき、ステップＳ１９０へ処理を進める。一方、制御部１０３は、ステップＳ１８５において、使用者が戻るボタンＭｂにタッチしていないと判断したとき、ステップＳ１０５へ処理を戻す。
【００５６】
ステップＳ１９０において、制御部１０３は、戻るボタンＭｂをハイライト表示へ切り換える指示を表示制御部１０２へする。制御部１０３は、ステップＳ１９０の処理を完了すると、ステップＳ１９５へ処理を進める。
【００５７】
ステップＳ１９５において、制御部１０３は、表示／操作部１０１の表示画面に図３に示すようなメニュー画面を表示させる指示を表示制御部１０２へする。制御部１０３は、ステップＳ１９５の処理を完了すると、図２のフローチャートに示す処理を終了する。
【００５８】
以上より、第１の実施形態に係る操作装置１００によれば、制御部１０３が、ステップＳ１０５〜Ｓ１３５の処理をすることで、使用者にタッチされた調整項目ボタンＴｂをハイライト表示し、当該調整項目ボタンＴｂが示す可動部位の調整可能な方向を示す調整方向矢印Ｔｙとを表示する。また、必要に応じて使用者にタッチされた調整項目ボタンＴｂが示す可動部位に対応するシート形状画像Ｓｇの一部をハイライト表示する。これにより、使用者は、シートの可動部位とその名称とをそれぞれ対応付けて記憶しておく必要がなく、表示／操作部１０１の表示画面を見ながら調整したいシートの可動部位と調整方向とを容易に選択して、誤操作をすることなく調整することができる。
【００５９】
また、表示／操作部１０１を運転席と助手席との間にあるセンターコンソール上に配置することにより、運転席に座っている使用者が容易に助手席のシートの可動部位をそれぞれ調整することができる。また、表示／操作部１０１をセンターコンソール上に配置することにより、助手席に着座している使用者も容易に助手席や運転席のシートの可動部位をそれぞれ調整することができる。
【００６０】
（第２の実施形態）
図７は、本発明における第２の実施形態に係る操作装置２００の概略構成を説明するブロック図である。第２の実施形態に係る操作装置２００と、第１の実施形態に係る操作装置１００との相違点は、表示制御部１０２、制御部１０３及び調整部１０４に代えて、表示制御部２０１、制御部２０２及び調整部２０３を備える点が相異する。したがって、操作装置２００において、操作装置１００と同一の構成要素には同一の参照符号を付し、説明を省略する。
【００６１】
表示制御部２０１は、表示制御部１０２の処理に加えて、制御部２０２から通知される位置情報Ｉｊを取得する。また、表示制御部２０１は、制御部２０２からの指示に応じて、シート形状画像Ｓｇの一部を動かすアニメーション表示をする。
【００６２】
制御部２０２は、制御部１０３の処理に加えて、移動させている可動部位に対応する位置情報Ｉｊを調整部２０３から取得して表示制御部２０１へ通知する。また、制御部２０２は、取得した位置情報Ｉｊに基づき、表示／操作部１０１の表示画面に表示されるシート形状画像Ｓｇの内、移動している可動部位に対応する箇所の画像をアニメーション表示させる指示を表示制御部２０１にする。
【００６３】
調整部２０３は、シートの可動部位の位置をそれぞれ検出するためのセンサを備えており、調整部１０４の動作に加えて、シートの可動部位の位置をそれぞれ示す位置情報Ｉｊを生成する処理をする。
【００６４】
図８は、制御部２０２の動作を説明するフローチャートである。制御部２０２は、図２のフローチャートに示す制御部１０３の処理の内、ステップＳ１５０〜ステップＳ１６５の間において、制御部１０３と異なる処理をする。したがって、図８のフローチャートには、制御部２０２のステップＳ１５０〜Ｓ１６５における処理のみを示す。以下、制御部２０２の処理について説明をする。
【００６５】
制御部２０２は、ステップＳ１５０の処理を完了すると、ステップＳ１５１へ処理を進める。ステップＳ１５１において、制御部２０２は、ステップＳ１５０において移動させる指示をした可動部位の位置情報Ｉｊを調整部２０３から取得する。制御部２０２は、ステップＳ１５１の処理を完了すると、ステップＳ１５２へ処理を進める。
【００６６】
ステップＳ１５２において、制御部２０２は、ステップＳ１５１において取得した位置情報Ｉｊを表示制御部２０１へ通知する。そして、制御部２０２は、当該位置情報Ｉｊに基づいて、移動させている可動部位に対応するシート形状画像Ｓｇの一部の画像を当該可動部位の移動量と調整方向とに応じてアニメーション表示させるように表示制御部２０１へ指示をする。制御部２０２は、ステップＳ１５２の処理を完了すると、ステップＳ１５５へ処理を進める。
【００６７】
尚、ステップＳ１５２において制御部１０３の指示を受けて表示制御部２０１が表示／操作部１０１の表示画面上においてシート形状画像Ｓｇの一部をアニメーション表示させる方法には、例えば、次に説明する２つの方法が考えられる。第１の方法は、表示／操作部１０１の表示画面に表示されているシート形状画像Ｓｇの一部の画像の表示座標を制御部２０２から通知される位置情報Ｉｊに基づいて、所定の時間間隔毎に変化させる方法である。第２の方法は、それぞれの可動部位の移動位置にそれぞれ応じたシート形状画像Ｓｇを予め記憶部１０５に複数種類記憶させておき、制御部２０２から通知される位置情報Ｉｊに応じて、当該位置情報Ｉｊに応じたシート形状画像Ｓｇを所定の時間間隔毎に記憶部１０５から読み出して表示／操作部１０１の表示画面に表示させてもよい。第１の方法によれば、記憶部１０５に予め複数種類のシート形状画像Ｓｇを記憶させておく必要がないため、記憶部１０５の容量を節約することができる。一方、第２の方法によれば、表示制御部２０１は、制御部２０２から通知される位置情報Ｉｊに応じて、記憶部１０５から画像を読み出して、表示／操作部１０１の表示画面に表示させる処理をするだけでアニメーション表示をすることができる。このため、第２の方法によれば、表示制御部２０１の処理の負担を軽減することができる。
【００６８】
ステップＳ１５５〜Ｓ１６０における制御部２０２の処理は、制御部１０３の処理と同一であるため説明を省略する。
【００６９】
制御部２０２は、ステップＳ１６０の処理を完了すると、ステップＳ１６１へ処理を進める。ステップＳ１６１において、制御部２０２は、表示画面上の可動部位に対応する箇所の画像のアニメーション表示を停止させる指示を表示制御部２０１へする。制御部２０２は、ステップＳ１６１の処理を完了すると、ステップＳ１６５へ処理を進める。尚、ステップＳ１６５以降の処理は、制御部１０３の処理と同一であるため説明を省略する。
【００７０】
以上のように、第２の実施形態によれば、制御部２０２が、ステップＳ１５０〜Ｓ１５５の処理を繰り返している間、すなわち、使用者が表示／操作部１０１の表示画面上の調整方向矢印Ｔｙを継続してタッチして、特定のシートの可動部位を移動させている間は、当該可動部位に対応する箇所のシート形状画像Ｓｇの一部をアニメーション表示させることができる。そして、制御部２０２が、ステップＳ１６１の処理をすることで、可動部位の移動停止に応じて、停止部位に対応する箇所のシート形状画像Ｓｇの一部のアニメーション表示を停止させることができる。したがって、第２の実施形態によれば、実際に移動しているシートの可動部位の移動の様子を表示／操作部１０１の表示画面上に再現することができ、使用者に理解しやすい表示を提供することができる。
【００７１】
（第３の実施形態）
次に、本発明の第３の実施形態について説明をする。尚、第３の実施形態に係る操作装置３００の概略構成を示すブロック図は、第２の実施形態の説明において参照した図７に併せて示している。第３の実施形態に係る操作装置３００と、第１の実施形態に係る操作装置１００との相違点は、表示制御部１０２、制御部１０３及び調整部１０４に代えて、表示制御部３０１、制御部３０２及び調整部３０３を備える点が相異する。したがって、操作装置３００において、操作装置１００と同一の構成要素には、同一の参照符号を付し説明を省略する。
【００７２】
表示制御部３０１は、表示制御部１０２の処理に加えて、制御部３０２からの指示に応じて、図９に示すように、移動させる可動部位の可動範囲を示す可動範囲画像Ｋｈを表示／操作部１０１の表示画面上に表示させる。また、表示制御部３０１は、制御部３０２から通知される位置情報Ｉｊに基づいて、移動させる可動部位の現在の移動位置を示す現在位置画像Ｇｉを可動範囲画像Ｋｈ上に重畳して表示／操作部１０１の表示画面上に表示させる。
【００７３】
制御部３０２は、制御部１０３の処理に加えて、表示／操作部１０１から通知されるタッチ位置情報Ｔｉｊに基づいて、使用者がシートの可動部位を選択したときに、対応する可動部位の可動範囲画像Ｋｈを表示画面に表示させる指示を表示制御部３０１へする。また、制御部３０２は、調整部３０３から通知される位置情報Ｉｊを表示制御部３０１へ通知する。また、制御部３０２は、調整部３０３から通知される位置情報Ｉｊに基づいて、移動している可動部位の現在の移動位置を示す現在位置画像Ｇｉを可動範囲画像Ｋｈ上に重畳して表示させる指示を表示制御部３０１へする。
【００７４】
調整部３０３は、シートの可動部位の移動量をそれぞれ検出するためのセンサを備えており、調整部１０４の動作に加えて、シートの調整箇所のそれぞれの位置情報Ｉｊを生成する処理をする。
【００７５】
図１０Ａ及び図１０Ｂは、それぞれ第３の実施形態に係る制御部３０２の処理を示すフローチャートである。制御部３０２の処理と、制御部１０３の処理との相違点は、図２のフローチャートに示す制御部１０３の処理に、ステップＳ２００〜Ｓ２１０及びＳ２４０の処理を追加した点である。したがって、制御部３０２の処理において、制御部１０３の処理と同一の処理については、同一の参照符号を付し、説明を省略する。以下、制御部３０２の処理について説明をする。
【００７６】
まず、図１０Ａを参照しながら制御部３０２の処理を説明する。制御部３０２は、ステップＳ１３５の処理を完了すると、ステップＳ２００へ処理を進める。ステップＳ２００において、制御部３０２は、ステップＳ１３０においてハイライト表示した調整項目ボタンＴｂに対応するシートの可動部位の可動範囲画像Ｋｈを表示／操作部１０１の表示画面に表示させるように表示制御部１０２に指示をする。図９は、一例として、使用者がクッション長の調整項目ボタンＴｂにタッチしたときの可動範囲画像Ｋｈを表示している表示／操作部１０１の表示画面を示す図である。制御部３０２は、ステップＳ２００の処理を完了するとステップＳ２０５へ処理を進める。
【００７７】
ステップＳ２０５において、制御部３０２は、ステップＳ１３０においてハイライト表示した調整項目ボタンＴｂに対応するシートの可動部位の位置情報Ｉｊを調整部３０３から取得する。制御部３０２は、ステップＳ２０５の処理を完了すると、ステップＳ２１０へ処理を進める。
【００７８】
ステップＳ２１０において、制御部３０２は、ステップＳ２０５において取得した位置情報Ｉｊを表示制御部３０１へ通知する。そして、制御部３０２は、通知された位置情報Ｉｊに基づいて、ステップＳ２００において表示した可動範囲画像Ｋｈ上に、前述した現在位置画像Ｇｉを表示させるように表示制御部１０２へ指示をする。図９は、一例として、クッション長の現在の長さを示す現在位置画像Ｇｉを可動範囲画像Ｋｈ上に重畳して表示している表示／操作部１０１の表示画面を示す。制御部３０２は、ステップＳ２１０の処理を完了するとステップＳ１０５へ処理を戻す。
【００７９】
制御部３０２は、ステップＳ１４０において、使用者が調整方向矢印Ｔｙにタッチしていないと判断したとき、ステップＳ２１５へ処理を進める。ここからは、図１０Ｂを参照しながら制御部３０２の処理を説明する。ステップＳ２１５において、制御部３０２は、使用者がステップＳ１０５においてタッチした項目ボタンが可動範囲画像Ｋｈであるか否かを判断する。制御部３０２は、ステップＳ２１５において、使用者が可動範囲画像Ｋｈにタッチしたと判断したとき、ステップＳ２２０へ処理を進める。一方、制御部３０２は、ステップＳ２１５において、使用者が可動範囲画像Ｋｈにタッチしていないと判断したとき、ステップＳ１７０へ処理を進める。
【００８０】
ステップＳ２２０において、制御部３０２は、使用者がタッチした可動範囲画像Ｋｈ上の位置に対応する移動位置まで、シートの可動部位を移動させるように調整部３０３へ指示をする。制御部３０２は、ステップＳ２２０の処理を完了すると、ステップＳ２２５へ処理を進める。
【００８１】
ステップＳ２２５において、制御部３０２は、ステップＳ２２０において移動させたシートの可動部位の現在の移動位置を示す位置情報Ｉｊを調整部３０３から取得する。制御部３０２は、ステップＳ２２５の処理を完了すると、ステップＳ２３０へ処理を進める。
【００８２】
ステップＳ２３０において、制御部３０２は、ステップＳ２２５において取得した位置情報Ｉｊに基づいて、現在位置画像Ｇｉを可動範囲画像Ｋｈ上の対応する位置に重畳して表示させるように表示制御部１０２へ指示をする。制御部３０２は、ステップＳ２３０の処理を完了すると、ステップＳ２３５へ処理を進める。
【００８３】
ステップＳ２３５において、制御部３０２は、ステップＳ２２５において取得した位置情報Ｉｊに基づいて、移動させているシートの可動部位が、ステップＳ２１５においてタッチされたと判断した可動範囲画像Ｋｈ上の位置に対応する移動位置まで移動したか否かを判断する。制御部３０２は、ステップＳ２３５において、シートの可動部位が、使用者にタッチされた可動範囲画像Ｋｈ上の位置に対応する移動位置まで移動したと判断したとき、ステップＳ２４０へ処理を進める。一方、制御部３０２は、ステップＳ２３５において、シートの可動部位が、使用者にタッチされた可動範囲画像Ｋｈ上の位置に対応する移動位置まで移動していないと判断したとき、ステップＳ２２０へ処理を戻す。
【００８４】
ステップＳ２４０において、制御部３０２は、移動させているシートの可動部位を停止させるように調整部３０３へ指示をする。制御部３０２は、ステップＳ２４０の処理を完了すると、ステップＳ１０５へ処理を戻す。
【００８５】
以上より、第３の実施形態に係る操作装置３００によれば、使用者が調整項目ボタンＴｂの内の１つにタッチしてシートの可動部位を選択すると同時に、当該可動部位の可動範囲を示す可動範囲画像Ｋｈと、選択した可動部位の現在の位置を示す現在位置画像Ｇｉとが表示／操作部１０１の表示画面上に表示される。これにより、シートの可動部位を直接視認するだけでは理解できない可動部位の可動範囲と、可動範囲における可動部位の現在位置とを使用者に容易に理解させることができる。また、操作装置３００によれば、使用者は、可動範囲画像Ｋｈ上の位置を直接タッチすることで、可動部位の目標位置を１度の操作で直接指示することができる。
【００８６】
（第４の実施形態）
図１１は、第４の実施形態に係る操作装置４００の構成を示すブロック図である。第４の実施形態に係る操作装置４００は、第１の実施形態に係る操作装置１００の表示／操作部１０１、表示制御部１０２及び制御部１０３に代えて、それぞれ表示部４０１、表示制御部４０２及び制御部４０３を備える。そして、操作装置４００は、操作部４０４をさらに備える。
【００８７】
表示部４０１は、表示／操作部１０１のようなタッチディスプレイではなく、表示画面のみを備える表示部であり、表示制御部４０２が記憶部１０５から画像を読み出して処理をした画像を表示する。
【００８８】
表示制御部４０２は、表示制御部１０２の処理に加えて、制御部４０３からの指示に応じて表示画面に表示されている項目ボタンの内、仮選択された項目ボタンの枠をハイライト表示する処理をする。
【００８９】
制御部４０３は、操作部４０４によって生成される操作信号Ｓｓを取得して、取得した操作信号Ｓｓに基づき、使用者が選択した項目ボタン、又は、調整方向矢印Ｔｙを判断する。そして、制御部４０３は、操作部４０４によって生成される操作信号Ｓｓに基づき、表示制御部４０２へ指示をすると共に、調整部１０４、すなわち、シートの可動部位をそれぞれ移動させる。尚、制御部４０３の詳細な動作については、後述する。
【００９０】
図１２及び図１３は、それぞれ第４の実施形態に係る操作部４０４として用いることのできる、操作装置の一例を示す図である。図１２及び図１３に示す操作部４０４は、主に、前後方向及び左右方向に傾動自在に取り付けられているジョイスティック２０と、操作スイッチ３と、操作スイッチ４とからなる。操作部４０４は、ジョイスティック２０が傾動されたこと、又は、操作スイッチ３及び４のいずれかが押下されたことを検出して、検出結果を操作信号Ｓｓとして生成する。例えば、使用者が、操作部４０４のジョイスティック２０をいずれかの方向に傾動させたときは、操作部４０４がジョイスティック２０の傾動方向を示す操作信号Ｓｓを生成する。そして、制御部４０３が、操作部４０４によって生成された操作信号Ｓｓを取得する。このとき、制御部４０３は、仮選択された項目ボタンが、ジョイスティック２０の傾動方向に応じた表示画面上の位置に表示されている項目ボタンへ変化させられたと判断し、変化させられた当該項目ボタンの表示を切り換える指示を表示制御部４０２へする。仮選択の具体的な説明については、後述する。
【００９１】
また、操作部４０４に備えられている操作スイッチ３及び４は、例えば、電気接点式のスイッチであり、それぞれ図１４Ａ及び図１４Ｂのフローチャートに示す処理における「決定」スイッチの機能及び「戻る」スイッチの機能を実現する。操作部４０４は、ジョイスティック２０が傾動されたときと同様に、使用者によって操作スイッチ３又は４がそれぞれ押下されたことを示す操作信号Ｓｓを生成する。
【００９２】
図１４Ａ及び図１４Ｂは、それぞれ第４の実施形態に係る制御部４０３の処理を示すフローチャートである。図１４Ａ及び図１４Ｂのフローチャートに示す処理は、図３に示すメニュー画面におけるシートボタンが選択されているときにおいて上述した決定スイッチが押され、表示部４０１の表示画面上の表示が運転席のシート調整画面に表示が切り換わった後、シート調整画面におけるいずれかの項目ボタンが仮選択され、仮選択された項目ボタンの枠がハイライト表示されている状態を初期状態としている。図１５は、一例として、クッション長の調整項目ボタンＴｂが仮選択され、当該ボタンの枠がハイライト表示されている表示部４０１の表示画面を示している。尚、初期状態において、仮選択されて枠がハイライト表示される項目ボタンは、表示部４０１の表示画面に表示されている項目ボタンであれば、いずれの項目ボタンであってもよいことは言うまでもない。
【００９３】
次に、仮選択について、具体的に説明をする。本実施形態では、制御部４０３が、図１４Ａ及び図１４Ｂのそれぞれのフローチャートに示す処理をするときにおいて、調整項目ボタンＴｂのいずれか１つ、助手席ボタンＪｂ及び戻るボタンＭｂのいずれかが仮選択される状態がある。ここで、調整項目ボタンＴｂが仮選択される状態とは、実際に調整方向矢印Ｔｙを選択して可動部位を移動させる状態ではなく、調整項目ボタンＴｂのいずれか１つが選択されている状態でさらに上述した決定スイッチを押すことによって当該調整項目ボタンＴｂのいずれかが示す可動部位の調整方向矢印Ｔｙを選択することができる状態のことである。また、助手席ボタンＪｂが仮選択されている状態とは、当該ボタンが選択されている状態でさらに上述した決定スイッチを押すことによって、助手席のシート調整画面が表示される状態のことである。また、戻るボタンＭｂが仮選択されている状態とは、当該ボタンが選択されている状態でさらに上述した決定スイッチを押すことによって、図３に示すメニュー画面が表示される状態のことである。また、仮選択状態とは、ジョイスティック２０を傾動するだけで、調整項目ボタンＴｂのいずれか１つ、助手席ボタンＪｂ及び戻るボタンＭｂのそれぞれの仮選択状態を切り換えられる状態でもある。また、上述したそれぞれの項目ボタンの仮選択状態において、上述した決定スイッチを押した状態をそれぞれの項目ボタンの本選択状態という。以下、図１４Ａ及び図１４Ｂをそれぞれ参照しながら、制御部４０３の処理を詳細に説明する。
【００９４】
ステップＳ４００において、制御部４０３は、使用者によってジョイスティック２０が傾動されたか否かを判断する。制御部４０３は、ステップＳ４００において、ジョイスティックが傾動されたと判断したとき、ステップＳ４０５へ処理を進める。一方、制御部４０３は、ステップＳ４００において、ジョイスティックが傾動されていないと判断したとき、ステップＳ４３０へ処理を進める。
【００９５】
ステップＳ４０５において、制御部４０３は、表示画面において仮選択され、ハイライト表示されている項目ボタンの枠を通常表示に切り換えるように、表示制御部４０２へ指示をする。制御部４０３は、ステップＳ４０５の処理を完了すると、ステップＳ４１０へ処理を進める。
【００９６】
ステップＳ４１１において、制御部４０３は、表示画面にいずれかの可動部位に対応する調整方向矢印Ｔｙが表示されているか否かを判断する。制御部４０３は、ステップＳ４１０において、調整方向矢印Ｔｙが表示されていると判断したとき、ステップＳ４１５へ処理を進める。一方、制御部４０３は、ステップＳ４１０において、調整方向矢印Ｔｙが表示されていないと判断したとき、ステップＳ４１５の処理をとばして、ステップＳ４２０へ処理を進める。尚、ステップＳ４１０において、調整方向矢印Ｔｙが表示されていないときとは、例えば、上述した初期状態において、表示画面に表示されている項目ボタンの内、助手席ボタンＪｂや戻るボタンＭｂが仮選択されており、仮選択されている項目ボタンに対応する調整方向矢印Ｔｙがないときが考えられる。
【００９７】
ステップＳ４１５において、制御部４０３は、表示画面に表示されている調整方向矢印Ｔｙを表示画面から消去するように表示制御部４０２へ指示をする。制御部４０３は、ステップＳ４１５の処理を完了すると、ステップＳ４２０へ処理を進める。
【００９８】
ステップＳ４２０において、制御部４０３は、ジョイスティックの傾動方向に応じて次に仮選択する項目ボタンを判断し、判断した項目ボタンの枠をハイライト表示するように表示制御部４０２へ指示をする。制御部４０３は、ステップＳ４２０の処理を完了すると、ステップＳ４２５へ処理を進める。
【００９９】
ステップＳ４２５において、制御部４０３は、ステップＳ４２０において仮選択した項目ボタンが、上述した調整項目ボタンＴｂのいずれかであるか否かを判断する。制御部４０３は、ステップＳ４２５において、調整項目ボタンＴｂのいずれかを仮選択したと判断したとき、ステップＳ４３０へ処理を進める。一方、制御部４０３は、ステップＳ４２５において、調整項目ボタンＴｂのいずれかを仮選択していないと判断したとき、ステップＳ４００へ処理を戻す。
【０１００】
ステップＳ４３０において、制御部４０３は、ステップＳ４２０においてハイライト表示に切り換えた調整項目ボタンＴｂに対応する調整方向矢印Ｔｙを表示画面上に表示させるように表示制御部４０２へ指示をする。制御部４０３は、ステップＳ４３０の処理を完了すると、ステップＳ４００へ処理を戻す。
【０１０１】
ステップＳ４３５において、制御部４０３は、操作部４０４の決定スイッチが押されたか否かを判断する。制御部４０３は、ステップＳ４３５において、決定スイッチが押されたと判断したとき、ステップＳ４５０へ処理を進める。一方、制御部４０３は、ステップＳ４３５において、決定スイッチが押されていないと判断したとき、ステップＳ４４０へ処理を進める。
【０１０２】
ステップＳ４４０において、制御部４０３は、操作部４０４の戻るスイッチが押されたか否かを判断する。制御部４０３は、ステップＳ４４０において、戻るスイッチが押されたと判断したとき、ステップＳ４４５へ処理を進める。一方、制御部４０３は、ステップＳ４４１において、戻るスイッチが押されていないと判断したとき、ステップＳ４００へ処理を戻す。
【０１０３】
ステップＳ４４５において、制御部４０３は、表示部４０１の表示画面に図３に示すメニュー画面を表示させるように表示制御部４０２へ指示をする。制御部４０３は、ステップＳ４４５の処理を完了すると、図１４Ａ及び図１４Ｂのフローチャートに示す処理を終了する。
【０１０４】
ステップＳ４５０において、制御部４０３は、ステップＳ４３５において決定スイッチが押されたときに仮選択されていた項目ボタンを本選択して、当該ボタンの全体を図５に示すようにハイライト表示に切り換える指示を表示制御部４０２へする。制御部４０３は、ステップＳ４５０の処理を完了すると、ステップＳ４５５へ処理を進める。尚、図５は、一例として、ステップＳ４５０における処理後、クッション長の調整項目ボタンＴｂの全体をハイライト表示に切り換えたときの表示画面の表示を示す図である。また、ステップＳ４５０において、本選択をして全体がハイライト表示される項目ボタンは、図５に示すように調整項目ボタンＴｂのみに限られず、助手席ボタンＪｂや戻るボタンＭｂであってもよいことは言うまでもない。
【０１０５】
ステップＳ４５５において、制御部４０３は、ステップＳ４３５において決定ボタンが押されたときに調整項目ボタンＴｂのいずれかが本選択されたか否かを判断する。制御部４０３は、ステップＳ４５５において、調整項目ボタンＴｂのいずれかが本選択されたと判断したとき、ステップＳ４７５へ処理を進める。一方、制御部４０３は、ステップＳ４５５において、調整項目ボタンＴｂのいずれかが本選択されていないと判断したとき、ステップＳ４６０へ処理を進める。
【０１０６】
ステップＳ４６０において、制御部４０３は、ステップＳ４３５において決定ボタンが押されたときに助手席ボタンＪｂが本選択されたか否かを判断する。制御部４０３は、ステップＳ４６０において、助手席ボタンＪｂが本選択されたと判断したとき、ステップＳ４６５へ処理を進める。一方、制御部４０３は、ステップＳ４６０において、助手席ボタンＪｂが本選択されていないと判断したとき、ステップＳ４７０へ処理を進める。
【０１０７】
ステップＳ４６５において、制御部４０３は、表示部４０１の表示画面の表示物を全て消去した後、助手席のシート形状画像Ｓｇと調整項目ボタンＴｂとを表示させるように表示制御部４０２へ指示をする。制御部４０３は、ステップＳ４６５の処理を完了すると、ステップＳ４００へ処理を戻す。
【０１０８】
ステップＳ４７０において、制御部４０３は、ステップＳ４３５において決定ボタンが押されたときに、戻るボタンＭｂが本選択されたものとして、図３に示すメニュー画面を表示させるように表示制御部４０２へ指示をする。制御部４０３は、ステップＳ４７０の処理を完了すると、図１４Ａ及び図１４Ｂのフローチャートに示す処理を終了する。
【０１０９】
ステップＳ４７５において、制御部４０３は、図６に示すように表示画面に表示されている調整方向矢印Ｔｙの内、いずれか１つをハイライト表示させるように表示制御部１０２へ指示をする。制御部４０３は、ステップＳ４７５の処理を完了すると、ステップＳ４８０へ処理を進める。尚、図６は、ステップＳ４７５の処理後の表示画面の一例として、クッション長の可動部位に対応する調整方向矢印Ｔｙの内、シートに着座した使用者にとって背面方向にクッション長を調整する調整方向矢印Ｔｙがハイライト表示されているときの表示画面を示す図である。
【０１１０】
ここからは、図１４Ｂのフローチャートを参照しながら制御部４０３の処理を説明する。ステップＳ４８０において、制御部４０３は、ジョイスティックが傾動されたか否かを判断する。制御部４０３は、ステップＳ４８０において、ジョイスティックが傾動されたと判断したとき、ステップＳ４８５へ処理を進める。一方、制御部４０３は、ステップＳ４８０において、ジョイスティックが傾動されていないと判断したときステップＳ４９０へ処理を進める。
【０１１１】
ステップＳ４８５において、制御部４０３は、ステップＳ４８０におけるジョイスティック２０の傾動前にハイライト表示されていた調整方向矢印Ｔｙを図５に示されるように通常表示に切り換えさせる指示を表示制御部１０２へする。制御部４０３は、ステップＳ４８５の処理を完了すると、ステップＳ４９０へ処理を進める。
【０１１２】
ステップＳ４９０において、制御部４０３は、ステップＳ４８０におけるジョイスティック２０の傾動前にハイライト表示をしていた調整方向矢印Ｔｙから、ステップＳ４８０におけるジョイスティックの傾動方向に応じた方向に表示されていると判断した調整方向矢印Ｔｙをハイライト表示に切り換えさせるように表示制御部４０２へ指示をする。制御部４０３は、ステップＳ４９０の処理を完了すると、ステップＳ４８０へ処理を戻す。
【０１１３】
ステップＳ４９５において、制御部４０３は、操作部４０４の決定スイッチが押されたか否かを判断する。制御部４０３は、ステップＳ４９５において、決定スイッチが押されたと判断したとき、ステップＳ５００へ処理を進める。一方、制御部４０３は、ステップＳ４９５において、決定スイッチが押されていないと判断したとき、ステップＳ５１５へ処理を進める。
【０１１４】
ステップＳ５００において、制御部４０３は、ステップＳ４９５において本選択された調整項目ボタンＴｂに対応する可動部位を、ステップＳ５００の処理をするときにハイライト表示されている調整方向矢印Ｔｙに応じた方向へ移動させるように調整部１０４へ指示をする。制御部４０３は、ステップＳ５００の処理を完了すると、ステップＳ５０５へ処理を進める。
【０１１５】
ステップＳ５０５において、制御部４０３は、ステップＳ４９５において押された決定スイッチが継続して押されているか否かを判断する。制御部４０３は、ステップＳ５０５において、決定スイッチが継続して押されていると判断したとき、ステップＳ５００へ処理を戻す。一方、制御部４０３は、ステップＳ５０５において、決定スイッチが継続して押されていないと判断したとき、ステップＳ５１０へ処理を進める。
【０１１６】
ステップＳ５１０において、制御部４０３は、ステップＳ５００において移動させた可動部位を停止させる指示を調整部１０４にする。制御部４０３は、ステップＳ５１０の処理を完了すると、ステップＳ４８０へ処理を戻す。
【０１１７】
ステップＳ５１５において、制御部４０３は、操作部４０４の戻るスイッチが押されたか否かを判断する。制御部４０３は、ステップＳ５１５において、戻るスイッチが押されたと判断したとき、ステップＳ５２０へ処理を進める。一方、制御部４０３は、ステップＳ５１５において、戻るスイッチが押されていないと判断したとき、ステップＳ４８０へ処理を戻す。
【０１１８】
ステップＳ５２０において、制御部４０３は、ハイライト表示中の調整方向矢印Ｔｙを通常表示に切り換えさせるように表示制御部４０２へ指示をする。制御部４０３は、ステップＳ５２０の処理を完了すると、ステップＳ５２５へ処理を進める。
【０１１９】
ステップＳ５２６において、制御部４０３は、ステップＳ５２０において通常表示に切り換えた調整方向矢印Ｔｙに応じた、調整項目ボタンＴｂの全体のハイライト表示を当該項目ボタンの枠のハイライト表示に切り換えさせるように表示制御部４０２へ指示をする。つまり、制御部４０３が、ステップＳ５１５〜Ｓ５２５の処理をすることで、本選択された調整項目ボタンＴｂが仮選択された状態に戻る。制御部４０３は、ステップＳ５２５の処理を完了すると、ステップＳ４００へ処理を戻す。
【０１２０】
以上より、第４の実施形態に係る操作装置４００によれば、前述した第１〜第３の実施形態におけるそれぞれの操作装置のように表示／操作部１０１、すなわち、タッチパネルを用いなくとも、他の実施形態と同様の効果を得ることができる。さらに、本実施形態によれば、操作部４０４の設置場所を自由に定めることができる。例えば、本実施形態において、操作部４０４を自動車のセンターコンソール上に配置することで、運転者及び助手席の搭乗者の双方がそれぞれシートの調整を容易にできる操作装置を提供することができる。
【０１２１】
尚、自動車によっては、運転席のシート形状と助手席のシート形状とが異なる場合がある。また、運転席と後部座席とはシート形状が異なるのが一般的である。そして、シート形状が異なると、可動部位も異なることがある。このため、全ての実施形態に係る操作装置において、表示／操作部１０１の表示画面に表示するシート形状画像Ｓｇを調整対象としている座席のシート形状に応じて変化させてもよい。これにより、異なるシート形状の座席がそれぞれ搭載されている車両においても、全ての実施形態に係る操作装置による効果を得ることができる。
【０１２２】
また、全ての実施形態において、使用者が、調整項目ボタンＴｂのいずれかにタッチしたときに、当該調整項目ボタンＴｂが示す可動部位に対応するシート形状画像Ｓｇ上の画像を拡大表示してもよい。これにより、使用者が現在の可動部位をより理解しやすい表示を提供することができる。
【０１２３】
また、全ての実施形態において、調整項目ボタンＴｂの表示位置に対応する位置にタッチするか、操作部４０４を操作して、調整項目ボタンをＴｂを選択することで、可動部位を選択していた。しかしながら、全ての実施形態において、調整項目ボタンＴｂを表示画面に表示させることなく、可動部位にそれぞれ対応するシート形状画像Ｓｇの一部の画像の表示位置に対応する位置にタッチするか、操作部４０４を操作して、移動部位にそれぞれ対応するシート形状画像Ｓｇの一部の画像を選択して、可動部位を選択してもよい。
【０１２４】
また、全ての実施形態におけるフローチャートに示す処理において制御部から指示を受けた表示制御部は、即座に表示／操作部、又は、表示部の表示画面の表示を制御するものとすることを付言しておく。
【産業上の利用可能性】
【０１２５】
本発明によれば、全ての調整部位の内、選択された調整部位の調整方向矢印のみを表示画面に表示することのできる操作装置を提供することができ、例えば、自動車等の車両に搭載される車載装置を操作する操作装置などに利用することができる。
【図面の簡単な説明】
【０１２６】
【図１】第１の実施形態に係る操作装置の構成を示すブロック図
【図２】第１の実施形態に係る制御部の処理を示すフローチャート
【図３】本発明におけるメニュー画面の一例を示す図
【図４】本発明におけるシート調整画面の一例を示す図
【図５】ハイライト表示されている調整項目画像及び調整部位を示す図
【図６】ハイライト表示されている調整方向矢印を示す図
【図７】第２及び第３の実施形態に係る操作装置を示す図
【図８】第２の実施形態に係る制御部の処理の１部を示すフローチャート
【図９】可動範囲画像及び現在位置画像を示す図
【図１０Ａ】第３の実施形態に係る制御部の処理を示すフローチャート
【図１０Ｂ】第３の実施形態に係る制御部の処理を示すフローチャート
【図１１】第４の実施形態に係る操作装置を示す図
【図１２】第４の実施形態に係る操作部の一例を示す図
【図１３】第４の実施形態に係る操作部の一例を示す図
【図１４Ａ】第４の実施形態に係る制御部の処理を示すフローチャート
【図１４Ｂ】第４の実施形態に係る制御部の処理を示すフローチャート
【図１５】枠がハイライト表示されている調整項目画像を示す図
【図１６】従来の車載機器操作装置の構成の１部を示すブロック図
【図１７】従来の車載機器操作装置の表示画面を示す図
【符号の説明】
【０１２７】
１００，２００，３００，４００    操作装置
１０１    表示／操作部
１０２，２０１，３０１，４０２    表示制御部
１０３，２０２，３０２，４０３    制御部
１０４，２０３，３０３    調整部
１０５    記憶部
４０１  表示部
４０４  操作部
【図１】
0004257549.tif 000002
【図２】
0004257549.tif 000003
【図３】
0004257549.tif 000004
【図４】
0004257549.tif 000005
【図５】
0004257549.tif 000006
【図６】
0004257549.tif 000007
【図７】
0004257549.tif 000008
【図８】
0004257549.tif 000009
【図９】
0004257549.tif 000010
【図１０Ａ】
0004257549.tif 000011
【図１０Ｂ】
0004257549.tif 000012
【図１１】
0004257549.tif 000013
【図１２】
0004257549.tif 000014
【図１３】
0004257549.tif 000015
【図１４Ａ】
0004257549.tif 000016
【図１４Ｂ】
0004257549.tif 000017
【図１５】
0004257549.tif 000018
【図１６】
0004257549.tif 000019
【図１７】
0004257549.tif 000020